(57)【要約】      （修正有）【課題】クリアホルダーとしての使用だけでなく、定規や分度器としての機能を兼ね備え、通常のクリアホルダーよりも利便性を高めたクリアホルダーであり、且つ印刷を施すことでより宣伝広告効果を得られることができる。【解決手段】クリアファイルの上部に定規の目盛りと分度器の目盛り１を記すことによりそれぞれの機能を兼ね備え、且つ定規と分度器の部分を切り離してもそのままでも定規と分度器の機能を活かすことができ、切り離した後でも本体はクリアホルダーとして使用することが可能になる。また、宣伝広告効果をより高めるために印刷２を施す。【選択図】図１
0003134356.tif 000002
【実用新案登録請求の範囲】
【請求項１】
クリアホルダーの一部に任意の定規と分度器の目盛りを印刷し、クリアホルダーのまま長さや角度を測ることができ、且つ定規と分度器の部分を切り離すことにより、同じく定規や分度器として測ることを可能にする。
【請求項２】
前記の仕様で、クリアホルダーとして使用でき、且つクリアファイルの一部を切り離しても残りの部分はクリアホルダーとして使用できる形を有する請求項１記載の定規と分度器付きクリアホルダー。
【請求項３】
前記の仕様で、表裏一体のシートにおいてクリアファイルとして使用後に切り離す分離線が、ミシン目によって形成されたものであることを特徴とする請求項１記載の定規と分度器付きクリアホルダー。
【考案の詳細な説明】
【技術分野】
【０００１】  本考案は主として、フイルムシート材料に対して多目的に使用できる利便性の高いノベルティー商品に関する。
【背景技術】
【０００２】  従来のクリアホルダーは、クリアホルダーとしてだけの使用方法しかなかったため、使用後はそのまま廃棄されていた。【０００３】  従来のクリアホルダーは多目的の利用ができず、書類等を挟むクリアホルダー以外の利便性がなかった。
【考案が解決しようとする課題】
【０００４】    本考案は、クリアホルダーとして使用できるだけでなく、定規として長さを測ることや分度器として角度が測ることができ、一つのクリアホルダーの中に文房具としての機能を更に加えることができるだけでなく、定規と分度器の部分を切り離してもそのままクリアホルダーの特性を活かしたまま使用できる。また、印刷を施すことにより宣伝広告効果を得られることができる。更に定規と分度器付きクリアホルダーの材料シートの素材を再生樹脂材料もしくはトウモロコシ等から製造されるＰＬＡ《ポリ乳酸》を主原料としたプラスチック材料を使用して環境に優しい商品として作成することもできる。
【課題を解決するための手段】
【０００５】  本考案は、クリアホルダーに定規として長さを測ることのできる目盛りと分度器として角度を測ることのできる目盛りを印刷し、任意のミシン目を入れることにより、クリアホルダーとして使用中に定規としても分度器としても使用することができる。また、切り離しても定規と分度器として測ることができるようにミシン目を入れておく。
また、材料シートに宣伝広告印刷を施すことにより、より高い宣伝広告効果を出すことができる。
【考案実施の形態】
【０００６】  図１は本考案の印刷物の一つである定規と分度器付きクリアホルダー（Ｆ）の視図である。印刷物である絵柄（２）は定規と分度器付きクリアホルダー表面の裏面から裏刷印刷をしている。図１で定規と分度器付きクリアホルダー（Ｆ）の左辺（ａ１）、（ａ２）は山折になっており、底辺（ｂ）は圧着されている。そのため左辺（ａ１）、（ａ２）と底辺（ｂ）は閉じた状態になっている。上辺（ｄ）と右辺（ｃ）は開口しているため、ここから書類等を出し入れすることができる。
定規と分度器付きクリアホルダー（Ｆ）の上部には定規と分度器の目盛りが印刷されており、定規で長さを測ることができ、且つ分度器で角度を測ることができる。また、抜き加工によるミシン目（３）から定規と分度器部（１）を切取り、本体から切り離すことができる。この時定規と分度器部（１）は切取らなくても切取ってもそれぞれ定規と分度器の役割として定規は長さを、分度器は角度を測ることができる。
また、光透過性を有する樹脂材料シートの素材を使用することで印刷デザイン面積を少なくして中に入れている書類を見せることもできる。
図２は図１で示した定規と分度器付きクリアホルダー（Ｆ）をミシン目で本体から切り離した時の斜視図である。左辺上部（ａ１）はミシン目による山折のため、切取ることができる。左辺下部（ａ２）は折筋による山折のため切り離すことはできない。切り離された後の定規と分度器部（１）は定規もしくは分度器として使用することができる。
図３は図１で示した定規と分度器付きクリアホルダー（Ｆ）から定規と分度器部（１）を切り離した本体部（Ｆ）である。本体部（Ｆ）にも印刷を施しているため、切り離された後も宣伝広告効果は残る。そのためノベルティー商品や販売促進商品等としても使用することができる。
ここで使用されているミシン目は抜き加工の木型の刃によるものだけではなく、印刷でミシン目や線を入れることにより、はさみなどで切り取ることにより定規や分度器として使用する仕様にすることもできる。
この定規と分度器付きクリアホルダー（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【考案の効果】
【０００７】  本考案は、クリアホルダーとして利用でき、更に定規や分度器の機能を兼ね備えた筆記用具入れとしても、使用が可能で、廃棄する部分が少ないため環境に配慮した定規と分度器付きクリアホルダーを提供することを課題とする。
且つ、シートに印刷されることによってクリアホルダーとして使用後も宣伝広告が可能である。
更に、シート材料を再生樹脂材料もしくはトウモロコシ等から製造されるＰＬＡ《ポリ乳酸》を主原料としたプラスチック材料を使用することにより、より環境に優しい商品を作成することができる。
【図面の簡単な説明】
【図１】本考案の印刷物である定規と分度器付きクリアホルダー斜視図。
【図２】図１の定規と分度器付きクリアホルダーを切り離した際の斜視図。
【図３】本考案の印刷物である定規と分度器付きクリアホルダーのから図２部を切り離したクリアホルダーの斜視図。
【符号の説明】
Ｆ  定規と分度器付きクリアホルダー
１  定規と分度器部
２  絵柄
３  ミシン目
４  定規と分度器部が切り離されたクリアホルダー部
ａ１  左辺上部
ａ２  左辺下部
ｂ    下辺
ｃ    右辺
ｄ    上辺
【図１】
0003134356.tif 000003
【図２】
0003134356.tif 000004
【図３】
0003134356.tif 000005
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの一部に任意の定規と分度器の目盛りを印刷することにより、クリアホルダーのまま長さや角度を測ることができ、且つ定規と分度器の部分を切り離すことにより、同じく定規や分度器として測ることを可能にする定規と分度器付きクリアホルダー。
【請求項２】
前記の仕様で、クリアホルダーとして使用でき、且つクリアファイルの一部を切り離しても残りの部分はクリアホルダーとして使用できる形を有する請求項１記載の定規と分度器付きクリアホルダー。
【請求項３】
前記の仕様で、表裏一体のシートにおいてクリアファイルとして使用後に切り離す分離線が、ミシン目によって形成されたものであることを特徴とする請求項１記載の定規と分度器付きクリアホルダー。
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの一部に任意の定規と分度器の目盛りを印刷することにより定規や分度器として使用でき、且つクリアホルダー単体としても使用でき、更に切り離すことにより切り離された定規と分度器部が独立して使用できる定規と分度器付クリアホルダー。
【請求項２】
前記の仕様で、定規と分度器をクリアホルダーの上部に印刷することにより、定規と分度器部を切り離してもクリアホルダーの機能は損なわれずクリアホルダーとして使用できる形を有する請求項１記載の定規と分度器付きクリアホルダー。
【請求項３】
前記の仕様で、表裏一体のシートにおいてクリアホルダーとして使用後に切り離す分離線が、ミシン目によって形成されたものであることを特徴とする請求項１記載の定規と分度器付きクリアホルダー。
【手続補正書】
【提出日】平成18年12月6日(2006.12.6)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの表面において、任意の定規と分度器の目盛りを印刷することにより、印刷された目盛り部が定規や分度器として使用でき、且つクリアホルダー単体としても使用でき、更に切り離すことにより切り離された定規と分度器部が独立して使用できる定規と分度器付クリアホルダー。
【請求項２】
前記の仕様で、定規と分度器をクリアホルダーの上部に印刷することにより、定規と分度器部を切り離してもクリアホルダーの機能は損なわれずクリアホルダーとして使用できる形を有する請求項１記載の定規と分度器付きクリアホルダー。
【請求項３】
前記の仕様で、表裏一体のシートにおいてクリアホルダーとして使用後に切り離す分離線が、ミシン目によって形成されたものであることを特徴とする請求項１記載の定規と分度器付きクリアホルダー。
【手続補正書】
【提出日】平成19年2月27日(2007.2.27)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの表面において、クリアホルダーの一辺を利用し任意の定規と分度器の目盛りを印刷することにより、印刷された目盛り部が定規や分度器として使用でき、且つクリアホルダー単体としても使用でき、更に定規部と分度器部の周りに切り離すことができる境界線を設け、切り離すことにより切り離された定規と分度器部が独立して使用できる定規と分度器付クリアホルダー。
【請求項２】
前記の仕様で、定規と分度器をクリアホルダーの上部に印刷することにより、定規と分度器部を切り離してもクリアホルダーの機能は損なわれずクリアホルダーとして使用できる形を有する請求項１記載の定規と分度器付きクリアホルダー。
【請求項３】
前記の仕様で、表裏一体のシートにおいてクリアホルダーとして使用後に切り離す分離線が、ミシン目によって形成されたものであることを特徴とする請求項１記載の定規と分度器付きクリアホルダー。